(57)【要約】【課題】  連続的な試験の実行により発生するデータを保存する記憶媒体の使用量を削減するようにした自動試験装置を得る。【解決手段】  試験のつど、試験の実施に先立ち、その時点の記憶媒体に保存されているデータの末尾位置を出力位置保持手段１０３により取得して、保持し、試験の実施に伴い、データ取得手段１０２により、試験対象装置から出力される試験結果を示すデータを取得し、記憶媒体１０１に保存し、さらにデータ判定手段１０４により、記憶媒体１０１に保存された試験結果を示すデータについて、異常の有無を判定し、異常なしと判定された場合には、出力位置制御手段１０５は、記憶媒体１０１に保存されているデータの末尾位置を、出力位置保持手段１０３に保持された位置まで戻し、併せて、記憶媒体１０１において、出力位置保持手段１０３に保持された位置以降のデータを消去する。【選択図】図１
2006177689.tif 000002
【特許請求の範囲】
【請求項１】
試験対象装置の試験を行い、その試験結果を記憶媒体に保存する自動試験装置において、
上記試験のつど試験の実施に先立ち、その時点で上記記憶媒体に保存されているデータの
末尾位置を取得し、保持する出力位置保持手段、上記試験対象装置から上記試験のつど出
力される試験結果を示すデータを取得し、上記記憶媒体に保存するデータ取得手段、上記
試験のつど上記データ取得手段により取得され、上記記憶媒体に保存された試験結果を示
すデータについて、異常の有無を判定するデータ判定手段、及びこのデータ判定手段によ
り異常なしと判定された場合に、上記記憶媒体に保存されているデータの末尾位置を、上
記出力位置保持手段に保持された位置まで戻し、この戻された位置以降の上記記憶媒体の
データを消去する出力位置制御手段を備えたことを特徴とする自動試験装置。
【請求項２】
上記出力位置制御手段による処理が終了した後、次の試験が開始される前に、上記デー
タ判定手段による判定結果を上記記憶媒体に出力する判定結果出力手段を備えたことを特
徴とする請求項１記載の自動試験装置。
【請求項３】
上記試験の実施に先立ち、上記出力位置保持手段により上記記憶媒体に保存されている
データの末尾位置が取得された後、上記データ取得手段により試験結果を示すデータの取
得が行われる前に、それまでに実行された試験の回数を上記記憶媒体に出力する第一の試
験回数出力手段を備え、上記第一の試験回数出力手段による上記試験の回数の出力の直後
に行われる試験結果を示すデータが、上記データ判定手段により、異常なしと判定された
ときは、上記記憶媒体に出力された試験の回数は、上記出力位置制御手段により消去され
ることを特徴とする請求項１記載の自動試験装置。
【請求項４】
連続的に実行されている試験を停止する試行停止手段、及びこの試行停止手段により、
連続的に実行されている試験が停止された段階までに実行された試験の回数を上記記憶媒
体に出力する第二の試験回数出力手段を備えたことを特徴とする請求項３記載の自動試験
装置。
【請求項５】
上記第一の試験回数出力手段及び上記第二の試験回数出力手段は、それぞれ上記試験の
回数の出力時に現在時刻を併せて出力することを特徴とする請求項４記載の自動試験装
置。
【発明の詳細な説明】
【技術分野】
【０００１】
この発明は、試験、計測、監視等（以下、試験という）を行い、取得されるデータを記
憶媒体に保存する自動試験装置に関するものである。
【背景技術】
【０００２】
試験、計測、監視対象から得られるデータを取得し、保存するシステムでは、一般に、
順次供給されるデータを、順次、他の記憶媒体に保存する手段が用いられる。
この種の従来技術として特許文献１においては、試験、計測、監視等により取得したデ
ータを順次記憶媒体に保存しつつ、一定量のデータを保持し、そのデータ内に異常データ
が存在した場合に、保持していたデータを別の記憶媒体に保存するものが開示されている
。
また、特許文献２では、試験、計測、監視データを保存し、保存したデータに異常なデ
ータが含まれる場合、それを表示するものが開示されている。
【０００３】
また、特許文献３においては、一定量のデータを保持し、そのデータ内に異常データが
存在した場合に、保持していたデータを記憶媒体に保存するものが開示されている。
また、特許文献４においては、一定量のデータを保持し、そのデータ内に異常データが
存在した場合に、保持していたデータをＣＲＴ装置に表示または、記憶媒体に保存するも
のが開示されている。
また、特許文献５では、試験を行い異常と判定した場合に、その判定結果を記憶媒体に
保存するものが開示されている。
【０００４】
【特許文献１】特開平１１−３３９１７３号公報（第３〜１７頁、図１）
【特許文献２】特開平７−８４６３６号公報（第３〜５頁、図１）
【特許文献３】特開昭６２−６７４１１号公報（第２〜３頁、図１）
【特許文献４】特開平６−３３１５０３号公報（第２〜３頁、図１）
【特許文献５】特開平８−２０２５７８号公報（第４〜７頁、図１）
【発明の開示】
【発明が解決しようとする課題】
【０００５】
従来の自動試験装置は、例えば特許文献１、特許文献２のように構成されているので、
異常原因を特定するための情報を後に効率的に閲覧することは可能であるが、正常時のデ
ータも保存するため、連続的に試験を行う場合、大量の記憶媒体が必要になるという問題
があった。
【０００６】
また、特許文献３、特許文献４のものでは、異常原因を特定するための情報のみが記憶
媒体に保存されるため、記憶媒体を最小限にすることができるが、異常を判定するまでに
、一時的に一定量のデータを最終的なデータを保存する記憶媒体とは別の手段にて保持す
る機構が必要になり、装置の製造方法が複雑化するという課題があった。
【０００７】
また、特許文献５のものは、異常が判定された場合、その結果を記憶媒体に保存される
ため、記憶媒体を最小限にすることができ、特許文献３、４のように一時的に一定量のデ
ータを最終的なデータを保存する記憶媒体とは別の手段にて保持する必要はないが、判定
を行ったデータが保存されないため、異常原因の特定が困難になるという課題があった。
【０００８】
さらに、特許文献３、４、５のものでは、異常を判定する前に、何らかの異常により試
験、計測、監視等が中断された場合、中断にいたるまでのデータを確認することができず
、異常原因の特定が困難になるという問題があった。
【０００９】
この発明は、上記のような課題を解決するためになされたものであり、連続的な試験の
実行において、データを保存する記憶媒体の使用量を削減し、かつ、記憶媒体以外の一時
的なデータを保持する手段を必要とせず、装置の製造方法を簡略化し、かつ、後の異常原
因特定を用意に行うための最低限のデータを保存するようにした自動試験装置を得ること
を目的とする。
【課題を解決するための手段】
【００１０】
この発明に係わる自動試験装置においては、試験対象装置の試験を行い、その試験結果
を記憶媒体に保存する自動試験装置において、試験のつど試験の実施に先立ち、その時点
で記憶媒体に保存されているデータの末尾位置を取得し、保持する出力位置保持手段、試
験対象装置から試験のつど出力される試験結果を示すデータを取得し、記憶媒体に保存す
るデータ取得手段、試験のつどデータ取得手段により取得され、記憶媒体に保存された試
験結果を示すデータについて、異常の有無を判定するデータ判定手段、及びこのデータ判
定手段により異常なしと判定された場合に、記憶媒体に保存されているデータの末尾位置
を、出力位置保持手段に保持された位置まで戻し、この戻された位置以降の記憶媒体のデ
ータを消去する出力位置制御手段を備えたものである。
【発明の効果】
【００１１】
この発明は、以上説明したように、試験対象装置の試験を行い、その試験結果を記憶媒
体に保存する自動試験装置において、試験のつど試験の実施に先立ち、その時点で記憶媒
体に保存されているデータの末尾位置を取得し、保持する出力位置保持手段、試験対象装
置から試験のつど出力される試験結果を示すデータを取得し、記憶媒体に保存するデータ
取得手段、試験のつどデータ取得手段により取得され、記憶媒体に保存された試験結果を
示すデータについて、異常の有無を判定するデータ判定手段、及びこのデータ判定手段に
より異常なしと判定された場合に、記憶媒体に保存されているデータの末尾位置を、出力
位置保持手段に保持された位置まで戻し、この戻された位置以降の記憶媒体のデータを消
去する出力位置制御手段を備えたので、記憶媒体に保存された試験結果を示すデータのう
ち、異常なしと判定されたデータは消去され、記憶媒体の使用量を削減できる効果がある
。
【発明を実施するための最良の形態】
【００１２】
実施の形態１．
以下、この発明の実施の形態１を図１に基づいて説明する。
図１は、この発明の実施の形態１による自動試験装置を示す構成図である。
図１において、記憶媒体１０１には、試験対象装置の試験結果が保存される。データ取
得手段１０２は、試験対象装置から試験により出力されるデータを取得し、記憶媒体１０
１に保存する。出力位置保持手段１０３は、試験のつど試験の実施に先立ち、その段階に
おいて記憶媒体１０１に保存されているデータの末尾位置を取得し、保持する。データ判
定手段１０４は、データ取得手段１０２により取得され、記憶媒体１０１に保存された１
回の試験結果を示すデータに対し、異常の有無を判定する。
出力位置制御手段１０５は、データ判定手段１０４により異常なしと判定された場合に
、記憶媒体１０１に保存されているデータの末尾位置を、出力位置保持手段１０３に保持
された位置まで戻し、併せて、記憶媒体１０１において、出力位置保持手段１０３に保持
された位置以降のデータを消去する。
なお、記憶媒体１０１に保存されているデータの末尾位置は、試験結果を示すデータが
記憶媒体１０１に保存されることにより、そのデータの末尾を指しているため、出力位置
制御手段１０５により出力位置保持手段１０３に保持された位置まで戻す必要がある。
【００１３】
次に、動作について説明する。
試験開始段階では、記憶媒体１０１には何も記録されず、記憶媒体１０１の先頭と出力
結果の末尾は、同じ位置になっている。試験の開始においては、まず、出力位置保持手段
１０３が、現在の記憶媒体１０１の末尾の位置を保持する。次に、データ取得手段１０２
により、１回目の試験結果を示すデータが取得され、記憶媒体１０１にこの１回目の試験
結果を示すデータが保存される。次に、データ判定手段１０４により、１回目の試験結果
を示すデータが異常であるか否かが判定される。
【００１４】
データ判定手段１０４により異常ありと判定された場合、出力位置制御手段１０５は、
何も行わず、今回、記憶媒体１０１に保存されたデータは最終的な結果として保存される
。次の試験が開始されると、出力位置保持手段１０３は、今回保存されたデータの末尾位
置を保持する。
データ判定手段１０４により、異常なしと判定された場合、出力位置制御手段１０５に
より、判定された試験結果を示すデータは、記憶媒体１０１より消去され、今回、記憶媒
体１０１に保存されたデータは最終的な結果として保存されなくなる。次の試験が開始さ
れると、出力位置保持手段１０３は、データが消去された後の記憶媒体１０１に保存され
たデータの末尾の位置を保持する。
この結果、記憶媒体の先頭から末尾の間には、データ判定手段１０４により異常ありと
判定された場合のデータのみが保存される。
このように、個々の試験を繰り返し、連続的に実施した場合も、記憶媒体の先頭から末
尾の間には、個々のデータ取得毎にデータ判定手段１０４により異常ありと判定された場
合のデータのみが蓄積される。
【００１５】
なお、上述の実施の形態１の説明では、出力位置制御手段１０５において、記憶媒体１
０１のデータの末尾位置の変更と、記憶媒体１０１のデータの消去を併せて行っているが
、記憶媒体１０１として、例えば磁気テープのようにデータの末尾位置を前方に戻すこと
により、その段階で末尾位置以降のデータを消去しなくても、以後のデータの書込み、ま
たは、書込み終了により、必然的に末尾位置以降のデータが消去される記憶媒体を使用す
る場合、出力位置制御手段１０５は、単に記憶媒体１０１に保存されているデータの末尾
位置を、出力位置保持手段１０３に保存された位置まで戻すのみでも、同様の効果がある
。
【００１６】
実施の形態１によれば、データ取得手段１０２により、記憶媒体１０１に保存されたデ
ータのうち、データ判定手段１０４により異常なしと判定されたデータは消去されるため
、記憶媒体１０１の使用量を削減できる効果がある。
また、上記効果に併せて、記憶媒体１０１以外の一時的なデータ保持手段が不要であり
、装置の製造方法が簡略化できる効果がある。
また、上記効果に併せて、データ判定手段１０４により異常ありと判定されたデータは
保存されるため、後の異常原因特定が容易となる効果がある。
また、個々の試験において、データ取得手段１０２による記憶媒体１０１に対するデー
タの出力が部分的かつ段階的に行われる場合、試験を行っている最中に、何らかの異常に
より、試験が中断されたとき、試験中断に至るまでの部分的なデータが記憶媒体１０１に
保存されるため、後の異常原因特定が容易となる効果がある。
【００１７】
また、実施の形態１において、データ取得手段１０２と、データ判定手段１０４、記憶
媒体１０１のみで構成される装置は、高々一回、試験を行い、異常の有無にかかわらずデ
ータを記録する装置として利用することができ、データ取得手段１０２およびデータ判定
手段１０４の動作確認が容易に行えるため、まず、単体での動作を確認し、後に本装置全
体として連続的な試験に利用するという手順を踏むことにより、本装置自体の開発、製造
効率が上がり、また品質が向上するという効果がある。
【００１８】
実施の形態２．
以下、この発明の実施の形態２を図２に基づいて説明する。
図２は、この発明の実施の形態２による自動試験装置を示す構成図である。
図２において、１０１〜１０５は図１におけるものと同一のものである。試行結果出力
手段２０６（判定結果出力手段）は、出力位置制御手段１０５による処理終了後、次の試
験が開始される前に、今回、データ判定手段１０４により異常ありと判定されたか否かの
判定結果を記憶媒体１０１に出力する。
【００１９】
次に、動作について説明する。
実施の形態２は、実施の形態１と同様に処理を開始し、出力位置制御手段１０５による
処理終了後、試行結果出力手段２０６により、データ判定手段１０４による判定の結果が
記憶媒体１０１に出力される。次の試験が開始されると、直前のデータ判定結果の出力の
末尾が、出力位置保持手段１０３に保持される。
【００２０】
実施の形態２によれば、個々の試験のデータ判定手段１０４による判定の結果、及びデ
ータ判定手段１０４により異常ありと判定されたデータのみが、記憶媒体１０１に保存さ
れるため、実施の形態１に述べた効果に加え、異常なしと判定された試験が、実際に実施
されたか否かが確認できるという効果がある。
【００２１】
実施の形態３．
以下、この発明の実施の形態３を図３に基づいて説明する。
図３は、この発明の実施の形態３による自動試験装置を示す構成図である。
図３において、１０１〜１０５は図１におけるものと同一のものである。試行回数出力
手段３０７（第一の試験回数出力手段）は、次の試験が開始され、出力位置保持手段１０
３により記憶装置１０１に保存されたデータの末尾の位置が保持された後、データ取得手
段１０２によりデータの取得及び保存が行われる前に、現在までに行われた試験の回数を
出力する。
【００２２】
次に、動作について説明する。
実施の形態３は、実施の形態１と同様に処理を開始し、出力位置制御手段１０５による
処理終了後、次の試験が開始され、出力位置保持手段１０３による記憶装置１０１に保存
されたデータの末尾の位置が保持された後に、試行回数出力手段３０７が現在までに行わ
れた試験の回数を、記憶媒体１０１に出力する。
試行回数出力手段３０７により出力された回数は、その直後に行われるデータ取得手段
１０２により取得されたデータに異常がある場合は、そのまま、保存され、データ取得手
段１０２により取得されたデータに異常がない場合は、出力位置制御手段１０５により、
消去される。
【００２３】
実施の形態３によれば、データ判定手段１０４により、異常ありと判定されたデータの
直前には、試験が行われた回数が保存される。
そのため、実施の形態１に述べた効果に加え、異常なしと判定された試験が、異常あり
と判定された試験の以前に、実際に実施されたか否かが確認できるという効果があり、実
施の形態２に比べ記憶媒体１０１の使用量を削減できる。
【００２４】
実施の形態４．
以下、この発明の実施の形態４を図４に基づいて説明する。
図４は、この発明の実施の形態４による自動試験装置を示す構成図である。
図４において、１０１〜１０５、３０７は図３におけるものと同一のものである。試行
停止手段４０８は、連続的に実行されている試験を停止するものであり、試行回数出力手
段４０９（第二の試験結果出力手段）は、試行停止手段４０８により、連続的に実行され
ている試験が停止された段階までに、何回の試験が実施されたかを記憶媒体１０１に出力
する。
【００２５】
次に、動作について説明する。
実施の形態４は、実施の形態３と同様に処理を開始し、連続的に試験を行う。試行停止
手段４０８は、予め決められた回数、時間、または本装置の利用者からの指示により、連
続的に実行されている試験を停止する。試行停止手段４０８により、連続的に実行された
試験が停止されるまでに、何回の試験が実施されたかの回数が、試行回数出力手段４０９
により、記憶媒体１０１に出力され、保存される。
【００２６】
実施の形態４によれば、１回もデータ判定手段１０４により異常ありと判定されたデー
タが存在しなかった場合にも、試験が何回行われたのかが保存される。そのため、実施の
形態３に述べた効果に加え、連続的に実行する試験の全体において、実際に試験が実施さ
れたか否かが確認できるという効果がある。
【００２７】
実施の形態５．
以下、この発明の実施の形態５を図５に基づいて説明する。
図５は、この発明の実施の形態５による自動試験装置を示す構成図である。
図５において、１０１〜１０５、４０８は図４におけるものと同一のものである。試行
回数時刻出力手段５０７は、実施の形態４における試行回数出力手段３０７に対し、出力
時の時刻を併せて出力するようにしたものであり、試行回数時刻出力手段５０９は、実施
の形態４における試行回数出力手段４０９に対し、出力時の時刻を併せて出力するように
したものである。開始時刻出力手段５１０は、連続的な試験の開始の前に、開始時刻を記
憶媒体１０１に出力する。
【００２８】
次に、動作について説明する。
まず、開始時刻出力手段５１０が、連続的な試験を開始した時刻を記憶媒体１０１に保
存する。
以降の処理は、実施の形態４と同様に行われる。ただし、実施の形態５では、実施の形
態４の試行回数出力手段３０７による、異常ありと判定されたデータの直前における試験
の実行回数保存の替わりに、試行回数時刻出力手段５０７が、試験の実行回数と現在時刻
とを保存する。
また、実施の形態４における、試行停止手段４０８により連続的に実行された試験が停
止されるまでに行われた試験の実行回数の試行回数出力手段４０９による保存の替わりに
、実施の形態５では、試行回数時刻出力手段５０９が、試験の実行回数と現在時刻とを保
存する。
【００２９】
実施の形態５によれば、連続的な試験を開始後、停止されるまでに、どの位の時間がか
かったかを後に確認することができ、実施の形態４に述べた効果に加え、時間により異常
の発生が影響する場合の、異常原因特定が容易になる効果がある。
また、異常ありと判定されるデータが取得された前後の時刻と、その間に実施された、
試験の実行回数が確認できるため、個々の試験の平均的な動作時間を類推することが可能
となり、実行時間の長短に異常が無いかどうかを確認することが可能となる効果がある。
【図面の簡単な説明】
【００３０】
【図１】この発明の実施の形態１による自動試験装置を示す構成図である。
【図２】この発明の実施の形態２による自動試験装置を示す構成図である。
【図３】この発明の実施の形態３による自動試験装置を示す構成図である。
【図４】この発明の実施の形態４による自動試験装置を示す構成図である。
【図５】この発明の実施の形態５による自動試験装置を示す構成図である。
【符号の説明】
【００３１】
１０１  記憶媒体、１０２  データ取得手段、１０３  出力位置保持手段、
１０４  データ判定手段、１０５  出力位置制御手段、
２０６  試行結果出力手段、３０７  試行回数出力手段、
４０８  試行停止手段、  ４０９  試行回数出力手段、
５０７  試行回数時刻出力手段、５０９  試行回数時刻出力手段、
５１０  開始時刻出力手段
【図１】
2006177689.tif 000003
【図２】
2006177689.tif 000004
【図３】
2006177689.tif 000005
【図４】
2006177689.tif 000006
【図５】
2006177689.tif 000007